(57)【要約】      （修正有）【課題】ディスクドライブの交換を容易としつつ、筐体の外観に螺子を露出させないディスクドライブの取り付け構造を有する情報処理装置を提供する。【解決手段】情報処理装置はフレームに対して着脱可能に設けられるディスクドライブ４を有し、ディスクドライブは、二つのドライブ固定螺子７により筐体に固定されている。ドライブ固定螺子は、ディスクドライブの開口側の端部であって、ディスクトレイの移動経路からＹ方向に外れた位置に一つずつ配置されている。ドライブ固定螺子は、ディスクトレイが収容されている状態においてはハッチ５によって覆われ外部から視認することはできない。ディスクトレイが排出されている状態において、ハッチが筐体から離間することによりドライブ固定螺子は裏面側に露出する。【選択図】図９
2011060341.tif 000002
【特許請求の範囲】
【請求項１】
開口部を有する側面と、前記側面に対して直交する底面とを有する筐体と、
前記底面に設けられたフレームと、
前記開口部を通じて前記フレームに対して着脱可能に設けられるディスクドライブ本体と、
ディスクを保持し、前記開口部を通じて前記ディスクドライブ本体に出し入れ自在に設けられ、前記ディスクドライブ本体に挿入された状態にあるとき前記開口部を塞ぐハッチを有するディスクトレイと、
前記フレームと前記ディスクドライブ本体とを前記開口部の近傍で連結する連結部とを具備し、
前記連結部は、前記ディスクトレイが前記ディスクドライブ本体に挿入された状態にあるとき前記ハッチによって覆われ、前記ディスクトレイの少なくとも一部が前記ディスクドライブ本体から排出されたときに露出する
情報処理装置。
【請求項２】
請求項１に記載の情報処理装置であって
前記連結部は、第１の連結部と第２の連結部からなり、
前記第１の連結部及び前記第２の連結部は、前記開口部の、前記ディスクトレイを挟む両端に配置される
情報処理装置。
【請求項３】
請求項２に記載の情報処理装置であって、
前記連結部は、前記ディスクドライブ本体と前記フレームに挿通される螺子を有し、
前記螺子は前記底面に垂直な方向に挿通される
情報処理装置。
【請求項４】
請求項３に記載の情報処理装置であって、
前記フレームは、前記底面との間に弾性部材を介して設けられている
情報処理装置。
【請求項５】
請求項４に記載の情報処理装置であって、
前記フレームは、前記ディスクドライブ本体の着脱方向に沿って形成された一対のガイド溝を有し、
前記ディスクドライブ本体は、前記ガイド溝に係合する一対の係合部を有する
情報処理装置。
【請求項６】
請求項５に記載の情報処理装置であって、
前記連結部は、前記フレームに設けられたスタッドと、前記ディスクドライブ本体に設けられた螺子穴と、前記螺子と前記スタッドの間に配置され前記螺子が挿通される方向と反対方向に前記螺子を付勢する付勢部材とをさらに有する
情報処理装置。
【発明の詳細な説明】
【技術分野】
【０００１】
本発明は、情報処理装置の組み立て構造に関する。
【背景技術】
【０００２】
パーソナルコンピュータ等の情報処理装置には、多くの場合、ＣＤ（Compact Disc）、ＤＶＤ（Digital Versatile Disk）あるいはＢＤ（Blu-ray Disc）等のディスクメディアのドライブであるディスクドライブが搭載される。ディスクドライブが情報処理装置の筐体に内蔵される場合、ユニット化されたディスクドライブが筐体に螺子止めにより固定されることが多い。その場合、固定を解除することにより筐体からディスクドライブを取り外すことが可能である。
【０００３】
ディスクドライブは、ディスクを回転させるためのモータ等の機械的機構を有し、そのような機構を有しない他の構成部品よりも比較的故障を生じ易い。筐体から、ディスクドライブを容易に着脱することが可能であれば、ディスクドライブの交換、修理が便利となる。一方、機械的機構を安定して動作させるためには、筐体に確実に固定されることが必要であり、ディスクドライブの周囲の複数箇所において筐体と固定されることが望ましい。
【０００４】
例えば特許文献１には、ディスクドライブ装置に複数設けられた固定片にネジを挿通させてパーソナルコンピュータの機器本体に螺子止めし、ディスクドライブ装置を機器本体に取り付ける構成が開示されている。固定片は、矩形板状のディスクドライブ装置の四隅近傍に配置されている。
【先行技術文献】
【特許文献】
【０００５】
【特許文献１】特開２００５−２５１３６３号公報（段落[０１０６]、図１６）
【発明の概要】
【発明が解決しようとする課題】
【０００６】
しかしながら、ディスクドライブの周囲の複数箇所において筐体に固定する構造では、ディスクドライブを着脱するために筐体を分解する必要があり、ディスクドライブの交換は、特に一般ユーザにとって抵抗となる。一方で、ディスクドライブを固定する螺子を筐体を貫通するように配置し、筐体の外部から、ディスクドライブを固定している螺子を解除できる構成とすることも可能であるが、この場合、ディスクドライブを筐体に固定する螺子が筐体の表面に露出し、情報処理装置の外観を損ねるおそれがある。
【０００７】
以上のような事情に鑑み、本発明の目的は、ディスクドライブの交換を容易としつつ、筐体の外観に螺子を露出させないディスクドライブの取り付け構造を有する情報処理装置を提供することにある。
【課題を解決するための手段】
【０００８】
上記目的を達成するため、本発明の一形態に係る情報処理装置は、筐体と、フレームと、ディスクドライブ本体と、ディスクトレイと、連結部とを有する。
上記筐体は、開口部を有する側面と、上記側面に対して直交する底面とを有する。
上記フレームは、上記底面に設けられる。
上記ディスクドライブ本体は、上記開口部を通じて上記フレームに対して着脱可能に設けられる。
上記ディスクトレイは、ディスクを保持し、上記開口部を通じて上記ディスクドライブ本体に出し入れ自在に設けられ、上記ディスクドライブ本体に挿入された状態にあるとき上記開口部を塞ぐハッチを有する。
上記連結部は、上記フレームと上記ディスクドライブ本体とを上記開口部の近傍で連結し、上記ディスクトレイが上記ディスクドライブ本体に挿入された状態にあるとき上記ハッチによって覆われ、上記ディスクトレイの少なくとも一部が上記ディスクドライブ本体から排出されたときに露出する。
【０００９】
ディスクドライブ本体は、フレームを介して筐体に着脱可能に取り付けられる。ディスクトレイの少なくとも一部がディスクドライブ本体から排出され、ハッチが開口部から離間した状態で、フレームとディスクドライブ本体を連結する連結部が露出し、連結を解除することが可能となる。即ち、連結を解除するためにはディスクトレイを排出させるのみでよく、筐体の分解等を要しない。一方、ディスクトレイがディスクドライブ本体に収容されている状態では、連結部は外観に表れず、情報処理装置の美観を損ねることがない。
【００１０】
上記連結部は、第１の連結部と第２の連結部からなり、
上記第１の連結部及び上記第２の連結部は、上記開口部の、上記ディスクトレイを挟む両端に配置されてもよい。
【００１１】
ディスクドライブ本体には、ディスクを回転させるためのモータが内蔵され、ディスクに印加されるトルクの反作用がディスクドライブ本体に印加される。ディスクトレイの両側において、第１の連結部と第２の連結部によりフレームとディスクドライブ本体を連結することにより、ディスクドライブ本体のフレームへの固定を強固なものとすることが可能である。
【００１２】
上記連結部は、上記ディスクドライブ本体と上記フレームに挿通される螺子を有し、上記螺子は上記底面に垂直な方向に挿通されてもよい。
【００１３】
ディスクドライブ本体とフレームを連結する螺子を、底面に垂直な方向に配置することにより、当該螺子を螺合し、あるいは螺合を解除する際に、ドライバー等の工具がディスクトレイに干渉することを防止することが可能である。
【００１４】
上記フレームは、上記底面との間に弾性部材を介して設けられてもよい。
【００１５】
筐体からの振動が弾性部材により減衰され、フレームへの伝達が防止され、よってフレームに固定されたディスクドライブ本体への伝達が防止される。筐体に収容されているスピーカ等が発生する振動は、ディスクドライブの読込動作等に影響を与えるおそれがあるが、これを防止することが可能である。
【００１６】
上記フレームは、上記ディスクドライブ本体の着脱方向に沿って形成された一対のガイド溝を有し、上記ディスクドライブ本体は、上記ガイド溝に係合する一対の係合部を有してもよい。
【００１７】
ディスクドライブがフレームに挿入される際に、ディスクドライブ本体に設けられた係合部がフレームに設けられたガイド溝に係合し、ディスクドライブのスライドがガイドされる。これにより、ディスクドライブのフレーム対する位置が規定され、コネクタ等の接続が容易となる。また、ガイド溝と係合部の係合は、ディスクドライブとフレームの連結部による連結を補助し、ディスクドライブをフレームに確実に固定することが可能となる。
【００１８】
上記連結部は、上記フレームに設けられたスタッドと、上記ディスクドライブ本体に設けられた螺子穴と、上記螺子と上記スタッドの間に配置され上記螺子が挿通される方向と反対方向に上記螺子を付勢する付勢部材とをさらに有してもよい。
【００１９】
螺子は付勢部材によって付勢されているため、緩んで脱落することが防止される。
【００２０】
本発明の一形態に係る情報処理装置は、筐体と、六角スタッドと、第１の部品と、螺子と、第２の部品とを具備する。
上記筐体は、第１の螺子穴が設けられたボス部が形成される。
上記六角スタッドは、一端に上記第１の螺子穴に螺合する第１の螺子軸が設けられ、他端に第２の螺子穴が設けられる。
上記第１の部品は、上記第１の螺子軸が挿通可能な第１の貫通穴を有し、上記六角スタッドの上記第１の螺子軸が上記第１の貫通穴を通じて上記ボス部の第１の螺子穴に螺合されることによって上記筐体に固定される。
上記螺子は、上記第２の螺子穴に螺合し、上記第１の螺子軸よりも軸径が小さい第２の螺子軸を有する。
上記第２の部品は、上記第２の螺子軸が挿通可能な第２の貫通穴を有し、上記六角スタッドの上記第２の螺子軸が上記第２の貫通穴を通じて上記六角スタッドの第２の螺子穴に螺合されることによって上記筐体に固定される。
【００２１】
第２の螺子軸の軸径が第１の螺子軸の軸径よりも小さいため、第２の螺子軸と第２の螺子穴の螺合を解除するのに要するトルクは、第１の螺子軸と第１の螺子穴の螺合を解除するのに要するトルクより小さい。このため、第２の螺子軸を螺合が解除される方向に回転させると第１の螺子軸と第１の螺子穴の螺合が解除されることなく、第２の螺子軸と第２の螺子穴の螺合のみが解除される。これにより、第２の部品を筐体から取り外す際に、第１の部品が筐体から取り外されることを防止することが可能である。
【００２２】
本発明の一形態に係る情報処理装置は、筐体と、六角スタッドと、第１の部品と、螺子と、第２の部品とを具備する。
上記筐体は、第１の螺子穴が設けられたボス部が形成される。
上記六角スタッドは、一端に上記第１の螺子穴に螺合する第１の螺子軸が設けられ、他端に第２の螺子穴が設けられる。
上記第１の部品は、上記第１の螺子軸が挿通可能な第１の貫通穴を有し、上記六角スタッドの上記第１の螺子軸が上記第１の貫通穴を通じて上記ボス部の第１の螺子穴に螺合されることによって上記筐体に固定される。
上記螺子は、上記第２の螺子穴に螺合する第２の螺子軸を有する。
上記第２の部品は、上記第２の螺子軸が挿通可能な第２の貫通穴を有し、上記六角スタッドの上記第２の螺子軸が上記第２の貫通穴を通じて上記六角スタッドの第２の螺子穴に螺合されることによって上記筐体に固定される。
上記第１の螺子軸と上記第１の螺子穴が螺合する回転方向と、上記第２の螺子軸と上記第２の螺子穴が螺合する回転方向は逆方向である。
【００２３】
第２の螺子軸が第２の螺子穴に螺合する回転方向と第１の螺子軸が第１の螺子穴に螺合する回転方向が逆方向であるため、第２の螺子軸を螺合が解除される方向に回転させると第１の螺子軸と第１の螺子穴の螺合が解除されることなく、第２の螺子軸と第２の螺子穴の螺合のみが解除される。これにより、第２の部品を筐体から取り外す際に、第１の部品が筐体から取り外されることを防止することが可能である。
【００２４】
上記第１の部品は、電子部品が搭載されるマザーボードであり、上記第２の部品は上記電子部品から電磁妨害を防止するシールド板であってもよい。
【００２５】
六角スタッドによりマザーボードとシールド板とが電気的に接続され、シールド板をグランドとして用いることが可能となる。
【発明の効果】
【００２６】
以上のように本発明によれば、ディスクドライブの交換を容易としつつ、筐体の外観に螺子を露出させないディスクドライブの取り付け構造を有する情報処理装置を提供することが可能である。
【図面の簡単な説明】
【００２７】
【図１】本発明の実施形態に係る情報処理装置の外観を示す図である。
【図２】情報処理装置に取り付けられたディスクドライブを示す図である。
【図３】ディスクドライブを示す図である。
【図４】フレームとディスクドライブを示す図である。
【図５】コネクタ及びコネクタ口の詳細を示す図である。
【図６】連結部の詳細を示す図である。
【図７】連結部の詳細を示す図である。
【図８】筐体へ固定されたフレーム及びディスクドライブを示す図である。
【図９】筐体から取り外されるディスクドライブを示す図である。
【図１０】情報処理装置の内部構造を示す図である。
【図１１】シールド板の筐体への取り付け方法を示す図である。
【図１２】メイン基板及びシールド板の筐体への取り付け方法及び構造を示す図である。
【発明を実施するための形態】
【００２８】
以下、図面を参照しながら、本発明の実施形態を説明する。
各図面において、Ｘ方向、Ｘ方向に直交するＹ方向、Ｘ及びＹ方向に直交するＺ方向を示す。
【００２９】
＜情報処理装置の構成＞
図１は、本発明の一実施形態に係る情報処理装置１の外観を示す図である。
図１（Ａ）は情報処理装置１の表側からの斜視図、図１（Ｂ）は情報処理装置１の裏側からの平面図である。情報処理装置１は、ディスプレイとパーソナルコンピュータ本体が一体化された構成を有する。情報処理装置１は筐体２を有し、筐体２の一面にはＬＣＤ（Liquid Crystal Display）３が設けられている。筐体２の内部には、ＣＰＵ（Central Processing Unit）、メモリ、ＨＤＤ（Hard disk drive）、入出力インターフェイス等が収容されている。また、情報処理装置１はディスクドライブ４を有する。なお、情報処理装置１の構成はここに示すものに限られない。
【００３０】
筐体２は、ＬＣＤ３が設けられた表面２ａ、表面２ａと反対側の裏面２ｂ、及び側面２ｃを有する。表面２ａ及び裏面２ｂはＸ−Ｙ平面上にあるものとし、側面２ｃは略Ｙ−Ｚ平面上にあるものとする。筐体２の側面２ｃから裏面２ｂに渡って、ディスクドライブ４のハッチ５が設けられている。即ち、ハッチ５によって、側面２ｃと裏面２ｂの一部が形成されている。裏面２ｂには、裏面２ｂからＺ方向に膨出するリアカバー２５が設けられている。リアカバー２５は、Ｘ−Ｙ平面に平行な平面部２５ａと、平面部２５ａと裏面２ｂを接続する斜面部２５ｂからなる。平面部２５ａには、電源、ＬＡＮ（Local Area Network）、入力装置等の接続端子１６、筐体２を立て掛けるためのスタンド１７が設けられている。
【００３１】
図２は、ディスクドライブ４を示す斜視図である。ディスクドライブ４は、ＣＤ（Compact Disc）、ＤＶＤ（Digital Versatile Disk）あるいはＢＤ（Blu-ray Disc）等のディスクメディア（リムーバルメディア）のドライブであり、ディスクが搭載されるディスクトレイ６が筐体２からＸ方向にスライドするトレイ式のドライブである。ディスクドライブ４は図示しないディスク駆動機構、ピックアップ等を有し、収容されたディスクをＸ−Ｙ平面上において回転させ、レーザ光等を照射することによってディスクから情報を読み出し、あるいはディスクに情報を記録する。ハッチ５には、ディスクトレイ６を排出させるためのボタン１４が設けられている。また、ディスクトレイ６は、情報処理装置１の電源が入っていない場合であっても、ハッチ５に設けられたイジェクトピンの挿入穴５ａの操作により排出させることが可能に構成されている。
【００３２】
図２（Ａ）はディスクトレイ６が排出されている状態を示し、図２（Ｂ）はディスクトレイ６が収容されている状態を示す。ハッチ５はディスクトレイ６の先端に固定され、ディスクトレイ６の移動に伴って移動する。図２（Ａ）に示すように、ディスクトレイ６が筐体２から排出されている状態では、ハッチ５が筐体２から離間し、開口２ｄが形成される。図２（Ｂ）に示すディスクトレイ６が筐体２に収容されている状態では、ハッチ５が筐体２に当接し、開口２ｄが閉塞される。
【００３３】
図２（Ｂ）に示す、ディスクトレイ６が収容されている状態において、ボタン１４等によりディスクドライブ４にディスクトレイ６を排出させる信号が入力されると、ディスクトレイ６及びハッチ５が移動し、ディスクトレイ６が排出される。これにより、図２（Ａ）に示すようにディスクトレイ６が排出される。この状態でディスクがディスクトレイ６から取り出され、あるいはディスクトレイ６に載置される。ディスクドライブ４にディスクトレイ６を収容させる信号が入力されると、ディスクトレイ６及びハッチ５が移動し、図２（Ｂ）に示すようにディスクトレイ６が収容される。この状態で、ディスクが読み出され、あるいは書き込みがされる。
【００３４】
詳細は後述するが、ディスクドライブ４は、二つのドライブ固定螺子７により筐体２に固定されている。ドライブ固定螺子７は、ディスクドライブ４の開口２ｄ側の端部であって、ディスクトレイ６の移動経路からＹ方向に外れた位置に一つずつ配置されている。つまり、一対のドライブ固定螺子７は、ディスクトレイ６を挟むように開口２ｄのＹ方向の両端に配置されている。ドライブ固定螺子７は、図２（Ｂ）に示すディスクトレイ６が収容されている状態においては、ハッチ５によって覆われ、外部から視認することはできない。図２（Ａ）に示すディスクトレイ６が排出されている状態において、ハッチ５が筐体２から離間することにより、ドライブ固定螺子７は裏面２ｂ側に露出する。
【００３５】
図３は、ディスクドライブ４を示す斜視図である。図３（Ａ）は裏面２ｂ側から、図３（Ｂ）は表面２ａ側からディスクドライブ４を見た状態を示す。ディスクドライブ４は、ハッチ５と、ハッチ５が固定されたディスクトレイ６と、ディスクトレイ６を収容し排出することが可能なディスクドライブ本体４Ａとを備える。ディスクドライブ本体４Ａに対してハッチ５と共にディスクトレイ６がＸ方向にスライド可能に設けられている。ディスクドライブ本体４Ａは、Ｘ−Ｙ平面、Ｙ−Ｚ平面、Ｚ−Ｘ平面上に面を有する略直方体形状を有し、筐体２に取り付けられた状態で裏面２ｂ側となる面（Ｘ−Ｙ平面）を上面４ａ、その反対側の面（Ｘ−Ｙ平面）を下面４ｂとする。また、上面４ａと下面４ｂとに略直交する面であって、ハッチ５に対向する面（Ｙ−Ｚ平面）を前面４ｃ、その反対側の面（Ｙ−Ｚ平面）を後面４ｄとし、片側の側面（Ｚ−Ｘ平面）を側面４ｅ、その反対側の側面（Ｚ−Ｘ平面）を側面４ｆとする。
【００３６】
側面４ｅは、側面４ｅの一部である側面４ｅ１と、側面４ｅの下面４ｂ側の一部である側面４ｅ２とで構成されている。側面４ｅ２は、側面４ｅ１に対してＹ方向に延出されている。つまり、ディスクドライブ本体４Ａの側面４ｅ側には、側面４ｅ１からＹ方向に延出された延出部４ｇが形成されている。上面４ａは、上面４ａ１と、延出部４ｇの上面である上面４ａ２から構成される。側面４ｅ１と側面４ｅ２はＹ方向に離間し、上面４ａ１と上面４ａ２はＺ方向に離間している。ディスクドライブ本体４Ａは、筐体２に設けられているフレーム１２（後述する図４参照）に固定されることで筐体２にマウントされる。後面４ｄには後述するコネクタ１０が挿入されるコネクタ口１１が形成されている。
【００３７】
ディスクドライブ本体４Ａには、ディスクドライブ４をフレーム１２に取り付けるための二つのブラケット１９及び２０が設けられている。ブラケット１９は、側面４ｆに、螺子１８により固定され、側面４ｆを覆う板状である。ブラケット１９は、係合部１９ａと螺子止め部１９ｂを有する。係合部１９ａは、側面４ｆと上面４ａ１が交差する辺に対応する位置に複数個配置されている。後面４ｄ側に位置する係合部が係合部１９ａ１、前面４ｃ側に位置する係合部が係合部１９ａ２である。係合部１９ａ１及び係合部１９ａ２は、ディスクドライブ本体４Ａの後述する着脱方向（Ｘ方向）に沿って形成されている。係合部１９ａ１及び１９ａ２は、それぞれ側面４ｆと上面４ａ１が交差する辺に対応する位置から上面４ａ１と同一平面（Ｘ−Ｙ平面）内でＹ方向に張出すように形成されている。螺子止め部１９ｂはブラケット１９の、前面４ｃ側端部における下面４ｂ側に設けられている。螺子止め部１９ｂは、下面４ｂと略同一平面（Ｘ−Ｙ平面）内に配置されている。螺子止め部１９ｂには、後述するドライブ固定螺子７が螺合する螺子溝が形成された螺子穴１９ｃが形成されている。
【００３８】
ブラケット２０は、側面４ｅ１及び後面４ｄに、螺子１８により固定され、側面４ｅ１及び上面４ａ２の一部を覆う板状である。ブラケット２０は、係合部２０ａと、螺子止め部２０ｂを有する。係合部２０ａは、側面４ｅ１と上面４ａ１が交差するに対応する位置に複数個配置されている。後面４ｄ側に位置する係合部が係合部２０ａ１であり、前面４ｃ側に位置する係合部が係合部２０ａ２である。係合部２０ａ１及び２０ａ２は、それぞれ側面４ｅ１と上面４ａ１が交差する辺対応する位置から上面４ａ１と同一平面（Ｘ−Ｙ平面）内でＹ方向に張出すように形成されている。螺子止め部２０ｂはブラケット２０の、前面４ｃ側端部の下面４ｂ側に設けられている。螺子止め部２０ｂは、下面４ｂと同一平面（Ｘ−Ｙ平面）内に形成されている。螺子止め部２０ｂには、後述するドライブ固定螺子７が螺合する螺子溝が形成された螺子穴２０ｃが形成されている。
【００３９】
図４は、フレーム１２とディスクドライブ４を示す斜視図である。図４（Ａ）は、フレーム１２及びディスクドライブ４を上面４ａ側から見た図であり、図４（Ｂ）は、フレーム１２及びディスクドライブ４を下面４ｂ側から見た図である。後述するようにディスクドライブ４はフレーム１２に固定されるが、図４（Ａ）及び図４（Ｂ）では、ディスクドライブ４がフレーム１２に完全に固定される前の状態（Ｘ方向に互いにずれて配置された状態）が示されている。
【００４０】
これらの図に示すように、フレーム１２は、ディスクドライブ４の側面４ｅ（４ｅ１、４ｅ２）、側面４ｆ、上面４ａ（４ａ１、４ａ２）を覆う形状を有する。即ち、フレーム１２は、側面４ｆに対応する側面部１２ａ、上面４ａ１に対応する上面部１２ｂ、側面４ｅ１に対応する側面部１２ｃ、上面４ａ２に対応する上面部１２ｄ及び側面４ｅ２に対応する側面部１２ｅから構成されている。側面部１２ａ、側面部１２ｃ及び側面部１２ｅはＺ−Ｘ平面に略平行な板状であり、上面部１２ｂ及び上面部１２ｄはＸ−Ｙ平面に略平行な板状である。
【００４１】
フレーム１２には、上面部１２ｂの後面４ｄ側に形成された、規制部１２ｆとコネクタ支持部１２ｇが設けられている。規制部１２ｆは、ディスクドライブ４の後面４ｄに当接可能に設けられ、Ｙ−Ｚ平面に平行な板状である。コネクタ支持部１２ｇは、コネクタ１０を支持し、フレーム１２に固定する。側面部１２ａと上面部１２ｂが交差する辺に対応する位置にガイド溝１２ｈが形成され、上面部１２ｂと側面部１２ｃが交差する辺に対応する位置にガイド溝１２ｉが形成されている。ガイド溝１２ｈはフレーム１２を貫通する、Ｘ方向に延伸された開口である。ガイド溝１２ｈは、ブラケット１９の係合部１９ａと係合する。ガイド溝１２ｉは、フレーム１２を貫通する、Ｘ方向に延伸された開口である。ガイド溝１２ｉは、ブラケット２０の係合部２０ａと係合する。
【００４２】
フレーム１２の側面部１２ａには、フレーム固定部１２ｊと、ドライブ固定部１２ｋ（ドライブ固定部１２ｋ１）が設けら、側面部１２ａには、フレーム固定部１２ｊと、ドライブ固定部１２ｋ（ドライブ固定部１２ｋ２）が設けられている。
フレーム固定部１２ｊは、側面部１２ａ及び側面部１２ｅの端部にそれぞれ複数設けられ、Ｘ−Ｙ平面に平行な板状である。フレーム固定部１２ｊには、螺子が挿通される穴が形成され、当該穴に挿通された螺子が締められることによりフレーム１２が筐体２に固定される。
ドライブ固定部１２ｋ１は、側面部１２ａのハッチ５側端部に設けられ、ドライブ固定部１２ｋ２は側面部１２ｅのハッチ５側端部に設けられる。ドライブ固定部１２ｋ１及び１２ｋ２は、それぞれＸ−Ｙ平面に平行な板状である。ドライブ固定部１２ｋ１及び１２ｋ２には、それぞれ後述するスタッド９及びドライブ固定螺子７が設けられている。ドライブ固定部１２ｋ１、螺子止め部１９ｂ、ドライブ固定部１２ｋ１に設けられたスタッド９及びドライブ固定螺子７等により第１の連結部が構成され、ドライブ固定部１２ｋ２、螺子止め部２０ｂ、ドライブ固定部１２ｋ２に設けられたスタッド９及びドライブ固定螺子７等により第２の連結部が構成されている。
【００４３】
フレーム１２のコネクタ支持部１２ｇには、コネクタ１０が取り付けられている。図５はコネクタ１０及びコネクタ口１１の詳細を示す図である。コネクタ１０は、ディスクドライブ４のコネクタ口１１に適合する形状を有する。ディスクドライブ４がフレーム１２に対して後述するようにＸ方向にスライドし所定の位置に固定されると、コネクタ１０がコネクタ口１１に挿入される位置に配置される。コネクタ１０は、螺子穴１０ａを有し、螺子穴１０ａに挿通される螺子１５によりコネクタ支持部１２ｇに固定されている。コネクタ１０からは情報処理装置１のディスクドライブインターフェイスに接続されるケーブル２１が延設されている。コネクタ口１１は、ディスクドライブ４に内蔵されているコネクタ基板１１ａに固定され、コネクタ１０と電気的に接続される図示しない端子を有する。
【００４４】
ディスクドライブ４のフレーム１２への取り付けについて説明する。
図６は、連結部（第１の連結部）の詳細を説明する図である。図６（Ａ）はディスクドライブ４がフレーム１２に対してＸ方向にずれて配置された状態を示し、図６（Ｂ）はディスクドライブ４がフレーム１２に位置合わせされた状態を示す。
ディスクドライブ４のフレーム１２への取り付け時には、ディスクドライブ４は後面４ｄ側からフレーム１２に挿入される。そして、フレーム１２に対してディスクドライブ４がＸ方向にスライドさせられる（図４及び図６（Ａ）参照）。この際、図４に示すようにブラケット１９の係合部１９ａ１等がガイド溝１２ｈに、ブラケット２０の係合部２０ａ１等がガイド溝１２ｉにそれぞれ係合し、ディスクドライブ４がＸ方向にガイドされる。
【００４５】
図６（Ａ）に示す状態から更にディスクドライブ４をＸ方向にスライドさせると、螺子止め部１９ｂ及び２０ｂがドライブ固定部１２ｋのＺ方向に重なり、螺子穴１９ｃ及び螺子穴２０ｃと、ドライブ固定螺子７のＸ−Ｙ平面内での位置が一致する（図６（Ｂ））。これと共に、ディスクドライブ４の後面４ｄが規制部１２ｆに当接し、コネクタ口１１がコネクタ１０に挿入され、ディスクドライブ４のＸ方向の位置が決められる（図６（Ｂ））。
【００４６】
この状態で、図６（Ｂ）に示すドライブ固定螺子７を回すことで、各ドライブ固定部１２ｋ１，１２ｋ２と、ディスクドライブ４の螺子止め部１９ｂ，２０ｂとがドライブ固定螺子７によって螺子止めされる。これにより、フレーム１２と、ディスクドライブ４とが固定される。ディスクドライブ４は、螺子止め部１９ｂ及び２０ｂと、各ドライブ固定部１２ｋ１，１２ｋ２によりフレーム１２に確実に固定され、コネクタ１０がコネクタ口１１に挿入されることにより、ディスクドライブ４の振動が防止される。
【００４７】
図７は、連結部付近の構成を説明する図である。図７（Ａ）は、ドライブ固定螺子７が螺合されていない状態を示し、図７（Ｂ）はドライブ固定螺子７が螺合されている状態を示す。
図７（Ａ）に示すようにフレーム１２のドライブ固定部１２ｋ１には、スタッド９が設けられている。スタッド９は、側壁部９ａと係止部９ｂとを備える。側壁部９ａは、円筒形状を有し、側周面がドライブ固定部１２ｋ１に対して垂直となる状態で、ドライブ固定部１２ｋ１に取り付けられている。側壁部９ａ内には、ドライブ固定螺子７が挿通可能となっている。係止部９ｂは、側壁部９ａの内周面側に円板状に形成され、中央に螺子軸７ｂが挿入される穴が形成されている。
【００４８】
ドライブ固定螺子７は、螺子頭７ａと、螺子軸７ｂと、スプリング（付勢部材）７ｃとを備える。スプリング７ｃは、一端が螺子頭７ａに固定され、螺子軸７ｂの周りに巻回されている。
【００４９】
図７（Ａ）に示すように、ディスクドライブ４がフレーム１２に固定される位置に挿入された状態で、ドライブ固定螺子７を回転させることにより、図７（Ｂ）に示すように、ドライブ固定螺子７が螺子穴１９ｃに螺合する。この際、スプリング７ｃが係止部９ｂに当接してドライブ固定螺子７が螺子穴１９ｃに挿通される方向（Ｚ方向）に次第に圧縮される。図７（Ｂ）に示すようにドライブ固定螺子７が螺子穴１９ｃに螺合した状態では、ドライブ固定螺子７はスプリング７ｃの弾性力により、図７（Ｂ）に示すＺ方向に上昇する方向に押圧されている。つまり、スプリング７ｃは、Ｚ方向で上向きにドライブ固定螺子７を付勢する。これにより、ディスクドライブ４におけるディスクの回転等の振動によってドライブ固定螺子７が緩むことが防止される。
【００５０】
図８は、ディスクドライブ４が固定されたフレーム１２の、筐体２への固定の様子を示す図である。フレーム１２は、フレーム固定部１２ｊによって筐体２に固定される。同図に示すように、フレーム１２は、フレーム固定部１２ｊに挿通されたフレーム固定螺子２２によって筐体２の底面２ｅに螺子止めされる。底面２ｅは、表面２ａの裏側の面でありＸ−Ｙ平面に略平行である。筺体２とフレーム固定部１２ｊとの間及びフレーム固定部１２ｊとフレーム固定螺子２２の頭との間にそれぞれ弾性部材２３を介してフレーム固定螺子２２がフレーム固定部１２ｊに嵌り筺体２に螺子止めされている。これにより、フレーム１２と筐体２との間で振動の伝達が防止され、情報処理装置１に収容されているスピーカ等による振動から、ディスクドライブ４を保護することが可能である。
【００５１】
＜作用等＞
以上のように、ディスクドライブ４はドライブ固定螺子７によってフレーム１２に固定され、フレーム１２はフレーム固定螺子２２によって筐体２に固定される。図２（Ａ）に示したように、ドライブ固定螺子７は、ディスクトレイ６が排出された状態で開口２ｄから露出し、筐体２の裏面２ｂ側から外すことができる。ドライブ固定螺子７は、ディスクトレイ６が収容されている状態では、情報処理装置１の外観に露出せず、外観を損なうことなく、ディスクドライブ４を筐体２に固定することが可能である。
【００５２】
図９は、筐体２とディスクドライブ４を示す斜視図である。同図に示すように、ドライブ固定螺子７を外した状態で、ディスクドライブ４をＸ方向に引き出すことにより、筐体２から取り外すことが可能となる。再度、ディスクドライブ４を取り付ける際には、ディスクドライブ４をフレーム１２に挿入し、ドライブ固定螺子７を螺合させることでディスクドライブ４を筐体２に取り付けることが可能である。即ち、開口２ｄを介してドライブ固定螺子７を着脱させることで、ディスクドライブ４を容易に交換することが可能である。
【００５３】
また、ディスクトレイ６の両側において、ドライブ固定螺子７によりフレーム１２とディスクドライブ本体４Ａを連結することにより、ディスクドライブ本体４Ａのフレーム１２への固定を強固なものとすることが可能である。また、ドライブ固定螺子７は、底面に垂直な方向に配置することにより、ドライブ固定螺子７を螺合し、あるいは螺合を解除する際に、ドライバー等の工具がディスクトレイ６に干渉することを防止することが可能である。
【００５４】
＜情報処理装置１の内部構造＞
次に、情報処理装置１の内部構造について説明する。
図１０は、情報処理装置１の内部構図を示す分解斜視図である。同図に示すように、筐体２には、ディスクドライブ４、メイン基板３１、ＨＤＤ（Hard Disk Drive）３２、スピーカ３３、換気ファン３４、冷却ファン３５等のデバイスが配置されている。メイン基板３１には、図示しないＣＰＵ、ＣＰＵヒートシンク３６及びメモリ３７等が搭載されている。また、情報処理装置１は、シールド板３０を有する。シールド板３０は、リアカバー２５と筐体２の間に配置され、筐体２に収容されているデバイスの電磁妨害を防止する。メイン基板３１及びシールド板３０は、Ｘ−Ｙ平面と略平行に配置される。
【００５５】
図１１は、シールド板３０の筐体２への取り付け方法を示す図である。
シールド板３０は、筐体２と係合する六角スタッド３８に、螺子３９によって固定される。シールド板３０には、螺子３９が挿通する貫通穴３０ａが形成されている。六角スタッド３８は、筐体２にメイン基板３１を介して係合し、その軸がＺ方向に向くように配置されている。シールド板３０は、例えば３箇所で六角スタッド３８に固定されている。
【００５６】
図１２は、メイン基板３１及びシールド板３０の、筐体２への取り付けの様子を説明する図である。図１２（Ａ）は六角スタッド３８付近の分解斜視図であり、図１２（Ｂ）はメイン基板３１とシールド板３０とを固定した六角スタッド３８付近の断面図である。同図に示すように、筐体２には、ボス部４０が設けられている。ボス部４０には、螺子山が形成された螺子穴４０ａが形成されている。メイン基板３１（第１の部品）には、六角スタッド３８の螺子軸３８ａが挿通される貫通穴３１ａが形成されている。
【００５７】
六角スタッド３８は、六角柱形状を有し、一方の端部には、螺子山が形成された螺子軸３８ａが形成されている。螺子軸３８ａは、六角スタッド３８の軸と同心的に形成され、貫通穴３１ａを貫通して螺子穴４０ａに螺合する大きさを有する。螺子軸３８ａと螺子穴４０ａは例えばＭ４（ＩＳＯ規格）のサイズとすることができる。他方の端部には、螺子山が形成された螺子穴３８ｂが形成されている。螺子穴３８ｂは、六角スタッド３８の長軸と同心的に形成されている。
【００５８】
シールド板３０（第２の部品）には、螺子３９の螺子軸３９ｂが挿通される貫通穴３０ａが形成されている。螺子３９は、螺子頭３９ａと螺子軸３９ｂを有する。螺子軸３９ｂは、貫通穴３０ａを貫通して螺子穴３８ｂに螺合する大きさを有する。螺子軸３９ｂと螺子穴３８ｂは、上述した螺子軸３８ａと螺子穴４０ａより小さいサイズ、例えばＭ２サイズとすることができる。
【００５９】
六角スタッド３８は、螺子軸３８ａがメイン基板３１の貫通穴３１ａに挿通された状態で、ボス部４０の螺子穴４０ａに螺合することで、メイン基板３１を介してボス部４０に固定されている。メイン基板３１は、ボス部４０と六角スタッド３８により挟圧され、固定されている。螺子３９は、螺子軸３９ｂがシールド板３０の貫通穴３０ａに挿通された挿通された状態で、螺子軸３９ｂが六角スタッド３８の螺子穴３８ｂに螺合することで、シールド板３０を介して六角スタッド３８に固定されている。シールド板３０は、六角スタッド３８と螺子３９により挟圧され、固定されている。
【００６０】
＜作用等＞
このようにしてメイン基板３１とシールド板３０を筐体２に固定することにより、シールド板３０の剛性を向上させることが可能となる。シールド板３０を、筐体２に直接接する外縁部分のみならず、中央部分で筐体２に支持させることができる。また、シールド板３０及び六角スタッド３８が導体である場合、六角スタッド３８を通じてシールド板３０をグランドとして用い、デバイスからの電磁波の輻射を低減することも可能である。
【００６１】
以上のように固定されているシールド板３０を、螺子３９の螺合を解除することにより六角スタッド３８から、即ち筐体２から取り外す場合について説明する。シールド板３０を取り外すためには、螺子３９を解除する方向に回転させ、螺子軸３９ｂと螺子穴３８ｂの螺合を解除すればよい。ここで、本実施形態では、螺子軸３９ｂのサイズは、螺子軸３８ａのサイズよりも小さいサイズであるので、螺合の解除に要するトルクは、螺子軸３８ａの方が大きい。このため、螺子３９を解除する方向に回転させると、螺子軸３８ａと螺子穴４０ａの螺合が解除されることなく螺子軸３９ｂと螺子穴３８ｂの螺合のみが解除される。
【００６２】
仮に、螺子軸３８ａのサイズと螺子軸３９ｂのサイズが同程度であるとすると、螺子軸３９ｂと螺子穴３８ｂの螺合の解除に要するトルクより、螺子軸３８ａと螺子穴４０ａの螺合の解除に要するトルクの方が小さい場合がある。例えば、螺子軸３９ｂと螺子穴３８ｂが錆等により固着している場合である。このような場合、螺子３９に螺合を解除する方向にトルクを印加すると、螺子軸３９ｂと螺子穴３８ｂの螺合が解除されず、螺子軸３８ａと螺子穴４０ａの螺合が解除される。
【００６３】
螺子軸３８ａと螺子穴４０ａの螺合が解除されると、シールド板３０とともに六角スタッド３８が筐体２から取り外される。メイン基板３１も六角スタッド３８によってボス部４０に固定されているため、メイン基板３１と筐体２の固定が解除され、実装されている部品の配線等が不具合を生じるおそれがある。本実施形態では、シールド板３０を取り外す際に、メイン基板３１の固定が解除されることを防止することが可能である。
【００６４】
螺子軸３８ａのサイズをＭ４とし、螺子軸３９ｂのサイズをＭ２としたが、これに限られず、螺子軸３８ａのサイズをＭ３とし、螺子軸３９ｂのサイズをＭ２としてもよい。また、螺子軸３８ａのサイズをＭ４とし、螺子軸３９ｂのサイズをＭ３としてもよい。これらの場合、サイズが接近しているため、螺合の解除に要するトルクの差が小さい。このため、螺子軸３８ａにスプリングワッシャーを介する、又は、螺子軸３８ａに螺子固着剤を塗布する等し、螺子軸３８ａと螺子穴４０ａの螺合の解除に要するトルクを増大させることも可能である。また、螺子軸３８ａと螺子穴４０ａが螺合する回転方向と、螺子軸３９ｂと螺子穴３８ｂが螺合する回転方向を逆方向とすることも可能である。この場合、螺子３９に、螺子軸３９ｂと螺子穴３８ｂの螺合を解除する方向に過大なトルクを印加しても、螺子軸３８ａと螺子穴４０ａはより強固に螺合し、螺合が解除されることが防止される。
【００６５】
本発明は上述の実施形態にのみ限定されるものではなく、本発明の要旨を逸脱しない範囲内において変更され得る。
【符号の説明】
【００６６】
１      情報処理装置
２      筐体
４Ａ    ディスクドライブ本体
５      ハッチ
６      ディスクトレイ
７      ドライブ固定螺子
７ｃ    スプリング
９      スタッド
１２    フレーム
１２ｈ  ガイド溝
１２ｉ  ガイド溝
１９ａ  係合部
１９ｃ  螺子穴
２０ａ  係合部
２０ｃ  螺子穴
２３    弾性部材
３０    シールド板
３０ａ  貫通穴
３１    メイン基板
３１ａ  貫通
３８    六角スタッド
３８ａ  螺子軸
３８ｂ  螺子穴
３９    螺子
３９ｂ  螺子軸
３９ａ  螺子頭
４０    ボス部
４０ａ  螺子穴
【図１】
2011060341.tif 000003
【図２】
2011060341.tif 000004
【図３】
2011060341.tif 000005
【図４】
2011060341.tif 000006
【図５】
2011060341.tif 000007
【図６】
2011060341.tif 000008
【図７】
2011060341.tif 000009
【図８】
2011060341.tif 000010
【図９】
2011060341.tif 000011
【図１０】
2011060341.tif 000012
【図１１】
2011060341.tif 000013
【図１２】
2011060341.tif 000014